(57)【特許請求の範囲】
【請求項１】
飲用水を吐出する飲用水吐出部と洗浄液を吐出する洗浄液吐出部とが並べて下方に向けて突設され、飲用水吐出部又は洗浄液吐出部のうち、一方の吐出部の吐出口が形成された先端面を水平にし、又は同面に付着した飲用水又は洗浄液が他方の吐出部から離れる方向に向かって流れ落ちるように他方の吐出部と反対側に向けて下り傾斜させ、他方の吐出部の吐出口が形成された先端面を同面に付着した飲用水又は洗浄液が前記一方の吐出部から離れる方向に向かって流れ落ちるように前記一方の吐出部と反対側に向けて下り傾斜させたことを特徴とする水栓装置。
【請求項２】
飲用水を飲用水吐出部と洗浄液吐出部のいずれか一方に切り替えて供給する切替手段と、洗浄液吐出部側に供給された飲用水に洗剤を供給する洗剤供給部を備えていることを特徴とする請求項１に記載の水栓装置。
【請求項３】
飲用水吐出部又は洗浄液吐出部のうち少なくとも一方に撥水性皮膜処理がなされていることを特徴とする請求項１又は請求項２に記載の水栓装置。
【発明の詳細な説明】
【技術分野】
【０００１】
本発明は水を吐出する吐出部と洗浄液を吐出する吐出部が設けられた水栓装置に関する。
【背景技術】
【０００２】
水を吐出する水用吐出部と洗浄液を吐出する洗浄液吐出部が設けられた水栓装置が特許文献１により知られている。この水栓装置は両吐出部が互いに離間するよう並べて突設されており、水用吐出部に洗浄液が付着し難い構造となっている。
【先行技術文献】
【特許文献】
【０００３】
【特許文献１】特許第２９５７３９６号公報
【発明の概要】
【発明が解決しようとする課題】
【０００４】
ところで、特許文献１に示すような水用吐出部と洗浄用吐出部を備えた水栓装置にあっては、水用吐出部から飲用水を吐出する場合がある。この場合、例えば使用後において洗浄液吐出部に付着した洗浄液が表面張力によって水栓装置の外面を伝わり、水用吐出部側に流れて水用吐出部が汚されることを確実に防止する必要がある。この対策としては、例えば両吐出部を大きく離間して配置したり、両吐出部の突出長を長くする等が考えられるが、このようにすると水栓装置の大型化やデザイン性の低下を招く恐れがある。
【０００５】
本発明は上記事情に鑑みてなされたものであって、飲用水に洗浄液が混ざることを確実に防止でき、しかも小型化やデザイン性の向上を実現できる水栓装置を提供することを課題とする。
【課題を解決するための手段】
【０００８】
本発明の水栓装置は、飲用水を吐出する飲用水吐出部６ａと洗浄液を吐出する洗浄液吐出部６ｂとが並べて下方に向けて突設され、飲用水吐出部６ａ又は洗浄液吐出部６ｂのうち、一方の吐出部の吐出口が形成された先端面を水平にし、又は同面に付着した飲用水又は洗浄液が他方の吐出部から離れる方向に向かって流れ落ちるように他方の吐出部と反対側に向けて下り傾斜させ、他方の吐出部の吐出口が形成された先端面を同面に付着した飲用水又は洗浄液が前記一方の吐出部から離れる方向に向かって流れ落ちるように前記一方の吐出部と反対側に向けて下り傾斜させたことを特徴とする。
【０００９】
このように飲用水吐出部６ａの先端面又は洗浄液吐出部６ｂの先端面を他方の吐出部と反対側に向けて下り傾斜させることにより、使用後における飲用水吐出部６ａに付着した飲用水又は洗浄液吐出部６に付着した洗浄液が傾斜に沿って他方の吐出部から離れる方向に向かって流れ落ちやすくなり、これによって飲用水吐出部６ａが洗浄液で汚される等することを防止することができる。また、このように飲用水吐出部６ａの先端面又は洗浄液吐出部６ｂの先端面を傾斜させることにより飲用水吐出部６ａが洗浄液で汚されることを防止するので、飲用水吐出部６ａと洗浄液吐出部６ｂとを比較的近い位置に配置する等でき、水栓装置１を小型化したり、デザイン性を向上したりできる。
【００１０】
また、前記第一及び第二の水栓装置にあっては、飲用水を飲用水吐出部６ａと洗浄液吐出部６ｂのいずれか一方に切り替えて供給する切替手段と、洗浄液吐出部６ｂ側に供給された飲用水に洗剤を供給する洗剤供給部を備えていることが好ましい。
【００１１】
この場合、洗剤供給部にて飲用水に洗剤を混合して洗浄液吐出部６ｂから吐出される洗浄液にすることができ、供給された飲用水を飲用水吐出部６ａから吐出される飲用水としてだけではなく、洗浄液吐出部６ｂから吐出される洗浄液としても利用することができる。
また、飲用水吐出部６ａ又は洗浄液吐出部６ｂのうち少なくとも一方に撥水性皮膜処理がなされることが好ましい。
【発明の効果】
【００１２】
本発明にあっては、飲用水に洗浄液が混ざることを確実に防止でき、しかも小型化やデザイン性の向上を実現できる。
【図面の簡単な説明】
【００１３】
【図１】本発明の実施の形態の一例のカランを示す側断面図である。
【図２】同上の水栓装置の説明図である。
【図３】同上のノズルの断面図である。
【図４】同上のノズルの先端部を示し、（ａ）は底面図であり、（ｂ）は正面図である。
【図５】同上の切替手段を示す説明図である。
【図６】他例のノズルの先端部を示し、（ａ）は底面図であり、（ｂ）は正面図である。
【図７】更に他例のノズルの先端部を示し、（ａ）は底面図であり、（ｂ）は正面図である。
【図８】湯水混合部を備えた水栓装置を示す説明図である。
【発明を実施するための形態】
【００１４】
以下、本発明を添付図面に示す実施形態に基づいて説明する。本実施形態の一例の水栓装置１は、図２のように流し台２に設けられ、飲用水と洗浄液のうち選択されたものをシンク３に吐出できるものである。
【００１５】
水栓装置１は、上水道から飲用水が供給される給水路５を備えており、給水路５の下流端には飲用水を吐出する飲用水吐出部６ａと洗浄液を吐出する洗浄液吐出部６ｂとが設けられている（図４参照）。
【００１６】
給水路５の流し台２の内部に通された上流部には、上流側から順に止水栓７、逆止弁８、定流量弁９、及び電磁弁からなる開閉弁１０が設けられている。
【００１７】
給水路５の下流部は、シンク３の周縁部上に立設されたカラン１１で構成されている。カラン１１は、図１に示すように上流側から順に設けられた縦管部１２、横管部１３、及びノズル１５で構成されている。
【００１８】
横管部１３は縦管部１２の上端部から前方に向けて突設され、ノズル１５は横管部１３の前端部から下方に向けて突出するよう設けられている。なお、ノズル１５は横管部１３に対して所定の可動範囲で首振り自在に設けられるものであってもよいし、固定的に設けられるものであってもよい。
【００１９】
縦管部１２の下部には給水路５を流れる水の量を調節するための電動弁１６が設けられている。電動弁１６及び開閉弁１０の動作は流し台２に内装された制御部１７によって制御される。縦管部１２の下部には操作部１８が設けられており、操作部１８の操作情報は電気信号として制御部１７に伝えられる。操作部１８を操作することで、電動弁１６の開度を調節して下流側に供給される水量を調節したり、開閉弁１０の開閉を切り替えて吐出部６ａ、６ｂからの吐水の有無を切り替えたりすることができるようになっている。
【００２０】
図１に示すように略鉛直な縦管部１２の上端部にはフロート弁からなる大気開放弁１９が設けられている。大気開放弁１９は、開閉弁１０が開いて給水路５に水が流れているときには上昇して縦管部１２に形成された大気開放孔２０を閉塞する。また、開閉弁１０が閉じられると、大気開放弁１９は下降して大気開放孔２０を開放し、これによって給水路５における大気開放孔２０の下流側に残った水が飲用水吐出部６ａ又は洗浄液吐出部６ｂから排出される。
【００２１】
ノズル１５は略円柱状の外形を有し、着脱自在の洗剤タンク２１を備えている。洗剤タンク２１には開閉自在な蓋２２が設けられており、蓋２２を開いて洗剤タンク２１に洗剤を補充できるようになっている。
【００２２】
図４に示すように飲用水吐出部６ａと洗浄液吐出部６ｂはノズル１５の下端部に左右方向に並べて設けられている。両吐出部６ａ、６ｂは円筒状であってノズル１５から下方に向けて突設されており、両吐出部６ａ、６ｂの間に隙間が形成されるよう離間して設けられている。また、両吐出部６ａ、６ｂの突出長さは略同じである。
【００２３】
このうち飲用水吐出部６ａは飲用水をストレート吐水するものであり、その下端部（先端部）には飲用水吐出口２３として下方に開口する一個の円孔が形成されている。また、洗浄液吐出部６ｂは洗浄液をシャワー状に吐出するものであり、その下端部（先端部）には洗浄液吐出口２４として飲用水吐出口２３よりも小径の下方に開口する多数の孔２４ａが形成されている。
【００２４】
図１及び図３に示すようにノズル１５の内部には、給水路５の下流側の端部を構成する吐出路２５が形成されている。吐出路２５は、横管部１３と飲用水吐出部６ａを連通接続する飲用水路２５ａと、飲用水路２５ａから分岐して飲用水路２５ａと洗浄液吐出部６ｂとを連通接続する洗浄用水路２５ｂとで構成されている。
【００２５】
飲用水路２５ａと洗浄用水路２５ｂとに分岐する分岐点２６よりも下流側の吐出路２５には、切替手段として図５に示す切替弁２８が設けられている。切替弁２８は、上流側から供給された飲用水を飲用水路２５ａ側又は洗浄用水路２５ｂ側のいずれに供給するかを切り替えるものである。切替弁２８はスライド弁で構成され、手動により図５に示す矢印方向にスライドさせることで、飲用水路２５ａ側を閉じて洗浄用水路２５ｂに飲用水を供給可能とした図５（ａ）に示す状態と、洗浄用水路２５ｂ側を閉じて飲用水路２５ａに飲用水を供給可能とした図５（ｂ）に示す状態とに切り替えられるようになっている。
【００２６】
飲用水路２５ａに供給された飲用水はそのまま飲用水吐出口２３から下方のシンク３に向けて吐出される。他方、洗浄用水路２５ｂに供給された飲用水は、以下に説明するように気泡及び洗剤、あるいは気泡のみが混入されて、洗浄液として洗浄液吐出口２４から吐出される。
【００２７】
洗浄用水路２５ｂの分岐点２６よりも下流側には、図３に示すように下流側程流路面積が小さくなった絞り部２９が形成され、絞り部２９の下流側は負圧発生部３０となっている。負圧発生部３０には、洗浄用水路２５ｂを外部に連通させる外気取込口３１が形成されている。洗浄用水路２５ｂに飲用水が流れたときには、負圧発生部３０において負圧が発生し、これにより図３の紙面右側の矢印で示すように外気が外気取込口３１から洗浄用水路２５ｂに供給される。つまり、負圧発生部３０は気体を混入する気体混入部を構成している。
【００２８】
洗浄用水路２５ｂにおける負圧発生部３０の下流側には、洗浄水の流れ方向において流路面積を小さくした後に大きくした減圧・加圧部３２が形成されている。減圧・加圧部３２を流れる水は圧力変動が生じるため、前記負圧発生部３０で混入された空気からなる気泡が剪断されて微細化される。
【００２９】
また、減圧・加圧部３２には前記洗剤タンク２１が洗剤供給路３３を介して接続されている。洗剤供給路３３にはノズル１５に設けられた弁操作部３６（図２参照）により手動操作される弁３５が設けられている。洗浄用水路２５ｂに水が流れているときに弁操作部３６を操作して弁３５を開くと、減圧・加圧部３２で発生する負圧により、図３の紙面左側の矢印で示すように洗剤タンク２１内の洗剤が洗剤供給路３３を介して洗浄用水路２５ｂに供給され、前記気泡を含む飲用水に洗剤が混合される。つまり、本例では気泡を微細化する手段となる減圧・加圧部３２によって飲用水に洗剤を供給する洗剤供給部が構成されている。
【００３０】
水栓装置１は、開閉弁１０を開いた状態で切替弁２８を切り替えることで、飲用水吐出口２３から飲用水を吐出する状態と、洗浄液吐出口２４から洗浄液を吐出する状態とに切り替えることができる。
【００３１】
また、前記洗浄液吐出口２４から吐出される洗浄液は、弁３５の開閉を切り替えることにより、洗剤及び微細化された気泡を含む洗浄液と微細化された気泡のみを含む洗浄液のいずれかに変更することができる。このうち、洗剤及び気泡を含む洗浄液にあっては、洗剤の洗浄力と気泡の効果により洗浄効果が高められているため、食器等の被洗浄物を綺麗に洗浄するのに特に有効である。また、気泡のみを含む洗浄液を吐出する場合には、洗剤を消費することなく、洗浄効果の高い気泡を含んだ水で被洗浄物を綺麗に洗浄することができ、経済的である。
【００３２】
ここで、本例の水栓装置１にあっては、各吐出部６ａ、６ｂに撥水性皮膜処理を施している。なお、この撥水性皮膜処理は各吐出部６ａ、６ｂの下面、外周面、内面の全てに施してもよく、また、これらのうち選択された１乃至複数の箇所に撥水性皮膜処理を施してもよい。また、これらに加えて、吐出部６ａ、６ｂが突設されたノズル１５の下面にも撥水性皮膜処理を施してもよい。また、これらに代えて、吐出部６ａ、６ｂが突設されたノズル１５の下面のうち、吐出部６ａと吐出部６ｂの間の部分のみに、撥水性皮膜処理を施してもよい。
【００３３】
このように撥水性皮膜処理を施すことにより、開閉弁１０を閉じて飲用水や洗浄液の吐出を停止した時における各吐出部６ａ、６ｂの水切れ性を向上することができる。このため、例えば使用後において洗浄液吐出部６ｂに付着した飲用水が表面張力によりノズル１５の外面を伝って飲用水吐出部６ａに至ったり、洗浄液吐出部６ｂに付着した飲用水と飲用水吐出部６ａに付着した飲用水とが表面張力により周囲の外面を伝って繋がり、結果的に飲用水吐出部６ａが洗浄液で汚されたりすることを確実に防止することができ、これによって飲用水吐出部６ａから安全な飲用水を吐出することができる。また、このように撥水性皮膜処理を施すことにより、飲用水吐出部６ａが洗浄液で汚されることを防止するので、飲用水吐出部６ａと洗浄液吐出部６ｂとを比較的近い位置に配置したり、飲用水吐出部６ａや洗浄液吐出部６ｂの突出長を短くして、水栓装置１の小型化や、デザイン性の向上を実現できる。
【００３４】
なお、本例では飲用水吐出部６ａ及び洗浄液吐出部６ｂに撥水性皮膜処理を施したが、飲用水吐出部６ａ又は洗浄液吐出部６ｂのいずれか一方にのみ撥水性皮膜処理を施してもよいものとする。
【００３５】
また、本例の水栓装置１は気泡を含む飲用水に洗剤を混合するものであるが、飲用水に洗剤を供給した後に気泡となる気体を混合するものであってもよい。
【００３６】
次に上記一例とは異なる他例の水栓装置１について説明する。なお以下の説明では一例と同一の構成については同一の番号を付与し、重複する説明は省略する。
【００３７】
一例の水栓装置１にあっては、図４に示すように飲用水吐出部６ａ及び洗浄液吐出部６ｂの夫々の下端面を略水平としたが、本例の水栓装置１にあっては、図６に示すように飲用水吐出部６ａの飲用水吐出口２３が形成された下端面（先端面）を洗浄液吐出部６ｂと反対側に向けて徐々に下り傾斜する傾斜面３７としてあり、飲用水吐出部６ａの突出長が洗浄液吐出部６ｂから離れるに従って短くなるようにしている。
【００３８】
このように飲用水吐出部６ａの下端面を傾斜させることで、使用後における飲用水吐出部６ａに付着した飲用水が傾斜面３７に沿って他方の洗浄液吐出部６から離れる方向に向かって流れ落ちやすくなり、これによって飲用水吐出部６ａが洗浄液で汚される等することを確実に防止することができる。
【００３９】
なお、図６では洗浄液吐出部６ｂの下端面（先端面）を水平としたが、同面を図７のように飲用水吐出部６ａと反対側に向けて徐々に下り傾斜する傾斜面３８としてもよい。また、図６とは逆に、洗浄液吐出部６ｂの下端面を水平とすると共に洗浄液吐出部６ｂの下端面を図７と同様の傾斜面３８としてもよい。さらに本例では一例と同様に飲用水吐出部６ａや洗浄液吐出部６ｂに撥水性皮膜処理を施してもよいし、施さなくてもよい。
【００４０】
また、前記各例は図８に示す水栓装置１に適用してもよく、以下、この水栓装置１について説明する。なお以下の説明では前記各例の水栓装置１と同一の構成については同一の番号を付与し、重複する説明は省略する。
【００４１】
図８に示す水栓装置１は、給水路５に湯水混合部３９が設けられており、湯水混合部３９よりも上流側の給水路５は水用配管４０と湯用配管４１とで構成されている。水用配管４０には上水道から常温の飲用水が供給され、湯用配管４１には給湯器を通して加熱された高温の飲用水が供給され、これら飲用水を湯水混合部３９にて混合して温度調節された飲用水を給水路５の下流側に供給するものである。
【００４２】
カラン１１の縦管部１２の下部にはレバーからなる手動操作部４２が設けられており、手動操作部４２を操作することにより、湯水混合部３９にて混合される湯と水の混合比及び混合された水の下流側への供給量を手動で調節できるようになっている。
【００４３】
逆止弁８及び定流量弁９は湯水混合部３９よりも下流側に設けられている。また、湯水混合部３９が給水路５の下流側への飲用水の供給の有無及び供給量を変更する機能を有するため、本例の水栓装置１にあっては開閉弁１０及び電動弁１６が設けられていない。
【符号の説明】
【００４４】
１  水栓装置
６ａ  飲用水吐出部
６ｂ  洗浄液吐出部
１５  ノズル
【図１】
0005395554.tif 000002
【図２】
0005395554.tif 000003
【図３】
0005395554.tif 000004
【図４】
0005395554.tif 000005
【図５】
0005395554.tif 000006
【図６】
0005395554.tif 000007
【図７】
0005395554.tif 000008
【図８】
0005395554.tif 000009